(57)【特許請求の範囲】
【請求項１】
一端部に体液の流通する流通管が設けられ、他端部に本体雌ねじ部が配置される中空の本体と、
前記本体の内部に挿入され、前記本体雌ねじ部側にプランジャーねじ部が形成されたプランジャーと、
前記本体の内部で前記プランジャーを前後進させて、本体空間を可変させる作動部材と、
を含み、
前記作動部材は、
前記本体雌ねじ部と螺合し、回転方向によって前記本体の内部で前後に移動可能に挿入されるように、外周面上に加圧ねじ部が設けられている中空の加圧チューブと、
前記中空の加圧チューブの、前記プランジャー側に向かった位置にある端部に設けられており、前記プランジャーの端部面に当接する加圧チューブ突起と、
前記中空の加圧チューブの内部に滑り可能に挿入され、前記プランジャー側に向かった位置にある端部が前記加圧チューブ突起に掛かった状態になるように挿入されるプランジャー結合チューブと、
前記プランジャー結合チューブから前記プランジャー側に向かって延長形成されており、前記プランジャー結合チューブが前記加圧チューブ突起に掛かるように挿入された状態で、前記加圧チューブ突起の内部に開放形成された加圧チューブホールを介して突出し、前記プランジャーねじ部に螺合するチューブねじと、
を備え、
前記本体雌ねじ部および前記加圧ねじ部のねじ方向は、前記プランジャーねじ部および前記チューブねじのねじ方向と反対であることを特徴とする、成分分離器。
【請求項２】
前記チューブねじの端部にはねじ山のないオフセットが設けられることを特徴とする、請求項１に記載の成分分離器。
【請求項３】
前記チューブねじの下側には、前記チューブねじの突出量を制限するチューブ突出ストッパーが設けられることを特徴とする、請求項１に記載の成分分離器。
【発明の詳細な説明】
【技術分野】
【０００１】
本発明は、成分分離器に係り、さらに詳しくは、従来技術に比べて工程を単純化させながらも、分離された血液または幹細胞などの目的成分の純度を保障することができ、成分分離過程における空気汚染を防止することができる成分分離器に関する。
【背景技術】
【０００２】
幹細胞（Ｓｔｅｍ  ｃｅｌｌ）を利用する治療または施術方法は多様である。幹細胞は、美容整形や美容施術に使用可能であり、脱毛の治療と慢性難治性疾患および疼痛の治療にも使用可能である。その活用範囲は、かなり広く、今後さらに多く拡張するだろうと思われる。幹細胞とは、自己複製（Ｓｅｌｆ  ｒｅｎｅｗａｌ）が可能な能力と他の細胞への分化（Ｄｉｆｆｅｒｅｎｔｉａｔｉｏｎ）が可能な能力を持つ細胞をいう。
【０００３】
幹細胞は大きく胚性幹細胞（Ｅｍｂｒｙｏｎｉｃ  ｓｔｅｍ  ｃｅｌｌ）と成体幹細胞（Ａｄｕｌｔ  ｓｔｅｍ  ｃｅｌｌ）に区分することができる。他の分類としては自家細胞と他家細胞に区別することができ、他家幹細胞群としては臍帯血幹細胞、臍帯幹細胞、絨毛（胎盤）幹細胞などがあり、自家幹細胞群としては骨髄由来−幹細胞群（Ｂｏｎｅ  ｍａｒｒｏｗ  ｄｅｒｉｖｅｄ  ｓｔｅｍ  ｃｅｌｌｓ）と脂肪由来−幹細胞群（Ａｄｉｐｏｓｅ  ｄｅｒｉｖｅｄ  ｓｔｅｍ  ｃｅｌｌｓ、ＡＤＳＣ）などに大きく区分することができる。これらの主な細胞は造血幹細胞（Ｈｅｍａｔｏｐｏｉｅｔｉｃ  ｓｔｅｍ  ｃｅｌｌ、ＨＳＣ）と中間葉幹細胞（Ｍｅｓｅｎｃｈｙｍａｌ  ｓｔｅｍ  ｃｅｌｌ、ＭＳＣ）である。既存の幹細胞を分離する方法は、研究所で抽出する方式を応用して抽出過程が行われるが、その抽出方法が非常にやかましく、習得が難しく、多くの時間がかかるという欠点だけでなく、抽出過程中に些細な不注意にも空気汚染と機構による汚染を引き起こすおそれがあるうえ、抽出する人によって効率が大幅に異なるという欠点があった。このような理由から、より容易かつ簡単に汚染を防止する方法に対する必要性が提起されている。
【０００４】
血液の構成成分の一つである血小板内には多くの種類の成長因子が含まれているが、これらの成長因子を利用する治療は皮膚疾患および創傷の治癒に良好な効果を示している。これらの血小板内の成長因子は、ＰＲＰ（Ｐｌａｔｅｌｅｔ  Ｒｉｃｈ  Ｐｌａｓｍａ：多血小板血漿）の形で使用されている。遠心分離を行うと、ほとんどの血小板と白血球は、血球と血漿との境界面に生成される軟膜（Ｂｕｆｆｙ  ｃｏａｔ）層に位置することになる。また、血液内の血漿（Ｐｌａｓｍａ、ＰＰＰ（Ｐｌａｔｅｌｅｔ  Ｐｏｏｒ  Ｐｌａｓｍａ：乏血小板血漿））も様々な医学的目的で使用されている。
【０００５】
このため、様々な医学的目的により細胞間の比重差を利用して体液成分を分離した後、各成分要素を抽出するより便利で進歩した方法が求められている。
【０００６】
特に、脂肪由来幹細胞の場合、全体原液（脂肪とコラゲナーゼ溶液との混合液）の体積に対する抽出量が少ないため、従来の方法では高純度の幹細胞を得ることが困難である。
【０００７】
よって、本出願人は、このような体成分の分離のために成分分離器（特許文献１）を提示している。
【０００８】
ところが、上記の発明では、分離動作中に外乱が発生する可能性により、分離された成分が互いに混合できるので、所望の成分のみを分離するときにかなり注意を払わなければならないという煩わしさがある。
【先行技術文献】
【特許文献】
【０００９】
【特許文献１】韓国特許第１０−１１７９５４８号公報
【発明の概要】
【発明が解決しようとする課題】
【００１０】
本発明は、かかる問題点を解決するために案出されたもので、その目的は、従来技術に比べて工程を単純化させながらも、分離された血液または幹細胞などの目的成分の純度を保障することができ、成分分離過程における空気汚染を防止することができる成分分離器を提供することにある。
【課題を解決するための手段】
【００１１】
上記の目的を達成するための本発明は、一端部に体液の流通する流通管が設けられ、他端部に本体雌ねじ部が配置される中空の本体と、前記本体の内部で前後進しながら、前記本体の本体空間を可変させるプランジャーと、前記本体雌ねじ部に螺合可能な加圧ねじ部を有する加圧チューブ、および前記加圧チューブの内部に対して出入りし、前記プランジャーの下部のプランジャーねじ部に螺合するチューブねじが形成されたプランジャー結合チューブを有する作動部材と、を含んでなることを特徴とする、成分分離器が提供される。
【００１２】
前記本体雌ねじ部および前記加圧ねじ部のねじ方向は、前記プランジャーねじ部および前記チューブねじのねじ方向と反対であることを特徴とする。
【００１３】
また、前記チューブねじの端部には、ねじ山のないオフセットが設けられることを特徴とする。
【００１４】
また、前記チューブねじの下側には、前記チューブねじの突出量を制限するチューブ突出ストッパーが設けられることを特徴とする。
【００１５】
また、前記加圧チューブの下部には、チューブ離脱防止カバーが設置され、前記プランジャー結合チューブの外周面の下部には、前記チューブ離脱防止カバーにより前記プランジャー結合チューブの移動を制限させるチューブ離脱ストッパーが設けられることを特徴とする。
【００１６】
また、前記チューブ離脱ストッパーと前記チューブ離脱防止カバーとの間にばねが設置されることで、前記チューブねじと前記プランジャーねじ部との着脱を容易に誘導することを特徴とする。
【００１７】
また、前記加圧チューブに設けられる加圧チューブ突起と前記プランジャー結合チューブに設けられるチューブ突出ストッパーとの間にばねが設置されることで、前記チューブねじと前記プランジャーねじ部との着脱を容易に誘導することを特徴とする。
【発明の効果】
【００１８】
本発明によって、血液成分分離作業にかかる時間およびコストを節減することができる。特に、比重の軽いＰＰＰ、ＰＲＰの順に上方に圧力を加えて分離することにより、血球の混入を最小限に抑えるか或いは遮断することができるため、分離されたＰＲＰとＰＰＰの純度も確実である。
【００１９】
また、血液採血から血液分離過程中に外部空気と遮断された状態で移動するため、空気による汚染を防止することができる。よって、血液分離過程における血液の空気汚染時に予想される病原菌の感染または合併症の発生を予防することができる。
【００２０】
また、本発明によっては幹細胞の分離も可能である。原液比極少量を分離するために、幹細胞を容易に抽出することができるようにする特殊な形態の作動部材を採用して高純度の幹細胞を簡単に抽出することができる。よって、幹細胞を利用した治療の際に、治療費を大幅に節減することができる。
【図面の簡単な説明】
【００２１】
【図１】本発明の実施例に係る成分分離器の斜視図である。
【図２】本発明の実施例に係る成分分離器の分解斜視図である。
【図３】本発明の実施例に係る成分分離器の、図２とは別の方向から見た分解斜視図である。
【図４】図１の成分分離器の断面図である。
【図５】本発明の実施例に係る成分分離器に、作動部材を取り除いて下部栓を挿入する様子の斜視図である。
【図６】図１の成分分離器内に血液を装入した様子の断面図である。
【図７】図６の血液が装入された成分分離器内で遠心分離機を用いて血液を層分離させた状態の断面図である。
【図８】図７の成分分離器に作動部材を結合し、作動部材を上昇させて成分分離器の上側の血液成分を押すことにより、成分分離器に連結された成分収集器へ供給する状態の断面図である。
【図９】純粋脂肪とコラゲナーゼ溶液との混合物を遠心分離機を用いて層分離させた状態の成分分離器の断面図である。
【図１０】図９の成分分離器に作動部材を結合し、作動部材を上昇させて成分分離器の上側の上澄み液を押すことにより、成分収集器に排出する状態の断面図である。
【発明を実施するための形態】
【００２２】
以下、本発明の好適な実施例を添付図面に基づいて説明する。下記の各図面の構成要素に参照符号を付加するにあたり、同一の構成要素に限っては、たとえ他の図面上に表示されても、できる限り同一の符号を持つようにし、本発明の要旨を無駄に曖昧にするおそれがあると判断される公知の機能および構成についての詳細な説明は省略する。
【００２３】
図１〜図３において、図面符号１００は本発明の実施例に係る成分分離器を示す。前記成分分離器１００は、基本的には、一端部に体液の流通する流通管１０８が設けられ、他端部に本体雌ねじ部１４２が配置される中空の本体１０２と、前記本体１０２の内部で前後進しながら、前記本体１０２の本体空間１０３を可変させるプランジャー１１８と、前記プランジャー１１８を押し上げ、場合によっては前記プランジャー１１８を引っ張る作動部材とを含んでなる。
【００２４】
前記本体１０２は、内部を見ることができる透明体からなることが好ましく、プラスチックまたはガラスなどで製作できる。前記本体は、前記流通管１０８によって他の注射器などと連結されるか、或いは流通管栓１１２が結合できる。
【００２５】
前記本体１０２の他端部には前記本体雌ねじ部１４２が配置される。前記本体雌ねじ部１４２は、前記本体１０２に一体に形成されるか、或いは、本発明の実施例のように前記本体１０２の下部に対して着脱される本体カバー１３８に本体雌ねじ部１４２が設けられることも可能である。前記本体カバー１３８は、前記本体１０２の下部に設けられる本体結合ねじ１１０に螺合される本体カバーねじ１４０によって前記本体１０２と着脱可能に結合される。
【００２６】
前記本体雌ねじ部１４２は、連なるねじ山であることも可能であるが、図２および図３に示すように、ねじ山の一部である突起状に設けられることも可能である。
【００２７】
前記本体１０２の外周面には本体ストッパー１０４が設けられ、前記流通管１０８側から前記本体ストッパー１０４に向かって前記本体１０２を外挿する、アダプター空間１１５を有する管状の本体アダプター１１４が設置される。前記本体アダプター１１４は、前記成分分離器１００が遠心分離機（図示せず）のバケットに挿入されるとき、公差を減らして揺れを軽減する目的で設置される。
【００２８】
前記本体アダプター１１４には、本体１０２の内部物質の体積を測定するために目盛１１６が設けられる。前記本体アダプター１１４の側部には嵌合溝１１７が設けられるが、この嵌合溝１１７は、前記本体１０２の外周面に突設される嵌合突起１０６と嵌合される。その結果、前記本体アダプター１１４が前記本体１０２に定着できる。
【００２９】
前記プランジャー１１８は、前記本体１０２の内部で前後進しながら、前記本体１０２の内部に体液などが流入する空間を変化させることができる。前記作動部材の回転運動は前記プランジャー１１８の直線運動に変換される。よって、前記プランジャー１１８と前記流通管１０８との間に体液などの液体を装入または排出させることが可能である。
【００３０】
また、前記プランジャー１１８のプランジャーヘッド１２４の上面には、血液または体液などと接触する収集部が図２及び図４の如く凹設できる。前記プランジャーヘッド１２４と一体に形成されるプランジャー下部１２２の中心にはプランジャーねじ部１２６が設けられ、前記プランジャーねじ部１２６は前記チューブねじ１４８に結合される。
【００３１】
前記作動部材は、前記本体雌ねじ部１４２に螺合可能な加圧ねじ部１３０を有する加圧チューブ１２８と、前記加圧チューブ１２８の内部に対して出入りし、前記プランジャー下部１２２のプランジャーねじ部１２６に螺合するプランジャー結合チューブ１４４とを有する。
【００３２】
前記加圧チューブ１２８は、外周面に加圧ねじ部１３０が設けられ、上部に加圧チューブホール１３６が設けられるので、前記プランジャー結合チューブ１４４のチューブねじ１４８が挿入される。前記加圧ねじ部１３０の前端には加圧チューブ突起１３２が配置され、該加圧チューブ突起は前記プランジャー下部１２２の底面と当接する。前記加圧チューブ１２８の後端にはカバー結合ねじ１３４が設けられ、チューブ離脱防止カバー１６０が結合できる。また、ばねが、加圧チューブ１２８の加圧チューブ突起１３２と前記プランジャー結合チューブ１４４のチューブ突出ストッパー１５０との間に設置されることも可能である。
【００３３】
前記プランジャー結合チューブ１４４の先端には、前記加圧チューブホール１３６を介して突出できるチューブねじ１４８が設けられる。前記チューブねじ１４８は前記プランジャーねじ部１２６に結合される。また、前記チューブねじ１４８の先端には、前記プランジャーねじ部１２６に挿入されて前記プランジャー結合チューブ１４４の動きを制限するように、前記プランジャーねじ部１２６の内径と同じかそれより小さいオフセット１５２が設けられる。前記チューブねじ１４８の上部の前記オフセット１５２は、前記チューブねじ１４８がプランジャーねじ部１２６に螺合されていない状態では、前記加圧チューブ１２８の先端の前記加圧チューブ突起１３２よりも上部に突出していることが好ましい。すなわち、前記加圧チューブ１２８を回転させて前記プランジャー１１８を上部に前進させる場合には、前記プランジャー下部１２２に前記オフセット１５２のみが単純挿入された状態で左右への動きが制限される状態で動作する。
【００３４】
前記本体雌ねじ部１４２および前記加圧ねじ部１３０のねじ方向は、前記プランジャーねじ部１２６および前記チューブねじ１４８のねじ方向と反対であることが好ましい。例えば、図２に示すように、前記本体雌ねじ部１４２および前記加圧ねじ部１３０のねじ方向が右ねじ方向であれば、前記プランジャーねじ部１２６および前記チューブねじ１４８のねじ方向は左ねじ方向であることが好ましい。その理由は、前記加圧チューブ１２８を用いて前記プランジャー１１８を押し上げる必要がある場合には、前記プランジャーねじ部１２６と前記チューブねじ１４８とが結合されていない状態でも可能である。ところが、前記プランジャー１１８を引いて後退させる必要がある場合は、前記プランジャーねじ部１２６と前記チューブねじ１４８とが結合された状態でのみ可能である。これは、前記プランジャー１１８を後退させる場合、前記プランジャーねじ部１２６と前記チューブねじ１４８との結合状態が緩まないようにするためである。
【００３５】
前記チューブねじ１４８の突出量を制限するために、プランジャー結合チューブボディ１４６の前記チューブねじ１４８の下側にチューブ突出ストッパー１５０が設けられる。前記チューブ突出ストッパー１５０は環状または突起状に形成できる。
【００３６】
また、前記加圧チューブ１２８の下部には、前記プランジャー結合チューブ１４４の一部が貫通可能なチューブ離脱防止カバーホール１６２を有するチューブ離脱防止カバー１６０が設置される。前記プランジャー結合チューブ１４４の外周面の下部には、前記チューブ離脱防止カバー１６０によって移動が制限されるチューブ離脱ストッパー１５４が前記チューブ突出ストッパー１５０よりも下側に形成できる。前記チューブ突出ストッパー１５０および前記チューブ離脱ストッパー１５４の外径は、揺れを最小限に抑えるために、前記加圧チューブホール１３６の内径と近似するかよりやや小さいことが公差を減らすことができて望ましい。
【００３７】
前記プランジャー結合チューブ１４４の下部には、手で握って回しやすいようにローレット切り（ｋｎｕｒｌｉｎｇ）加工されたチューブハンドル１５６を有する。
【００３８】
また、前記チューブ離脱ストッパー１５４と前記チューブ離脱防止カバー１６０との間にばね１５８が設置され、前記チューブねじ１４８と前記プランジャーねじ部１２６との着脱を容易に誘導することができる。前記ばね１５８は、一端が前記チューブ離脱ストッパー１５４に当接し、他端は前記チューブ離脱防止カバー１６０のばね着座部１６４に着座する。また、前記ばね１５８の両端は、前記チューブ離脱ストッパー１５４と前記チューブ離脱防止カバー１６０のばね着座部１６４に直接結合できる。
【００３９】
本発明の実施例１による成分分離器１００は、基本的に、上述したように構成される。以下、前記成分分離器１００による成分分離過程を説明する。
【００４０】
まず、血液成分をＰＰＰとＰＲＰに分離する方法について説明する。軟膜（ｂｕｆｆｙ  ｃｏａｔ）層３を含む血漿４をＰＲＰ（Ｐｌａｔｅｌｅｔ  Ｒｉｃｈ  Ｐｌａｓｍａ）といい、軟膜層３を含んでいない血漿４をＰＰＰ（Ｐｌａｔｅｌｅｔ  Ｐｏｏｒ  Ｐｌａｓｍａ）という。まず、図６に示すように、注射器１０などを用いて前記成分分離器１００に血液１を装入する。血液１の装入された成分分離器１００を流通管栓１１２に結合したままで遠心分離を行うと、図７に示すように、血液成分は下から血球２、軟膜層３、血漿４の順に層を成した状態となる。遠心分離を行うとき、図５に示すように、前記本体１０２の下部に本体栓１７０を塞いで汚染を防止することができる。前記本体栓１７０には本体栓結合部材１７２が設けられることで、前記本体１０２の下部に安定的に結合できるようにする。
【００４１】
前記流通管栓１１２を取り除いて他の注射器２０などを前記流通管１０８に連結し、前記本体１０２の下部に前記作動部材を結合する。前記加圧チューブ１２８を回すと、前記本体雌ねじ部１４２と前記加圧ねじ部１３０とが結合して前記加圧チューブ１２８が上昇しながら、前記プランジャー１１８を上昇させる。この際、前記プランジャーねじ部１２６および前記チューブねじ１４８のねじ方向は前記本体雌ねじ部１４２および前記加圧ねじ部１３０のねじ方向と反対であるので、結合されていない状態を維持する。前記オフセット１５２が前記プランジャーねじ部１２６に挿入されて前記プランジャー結合チューブ１４４が揺れず、前記プランジャーねじ部１２６の回転中心と前記プランジャー結合チューブ１４４の回転中心とを一致させることができる。
【００４２】
その結果、前記血漿４など分離しようとする成分を、前記注射器２０に向かって排出することができる。その後、上述したような作業を繰り返し行い、さらに純度の高い成分を分離することが可能である。
【００４３】
以下、脂肪由来幹細胞を分離する方法について説明する。まず、脂肪由来幹細胞を抽出するために、人体から脂肪を吸引などの方法で得る。得られた脂肪からデキャンティング（ｄｅｃａｎｔｉｎｇ）過程または遠心分離過程を経て水の部位を除去し、純粋脂肪を得る。その後、純粋脂肪に、生理食塩水とコラゲナーゼとを混ぜたコラゲナーゼ溶液を混合し、脂肪細胞の間に存在する幹細胞が十分に遊離できるようにする過程（インキュベーション過程）を行った後、幹細胞の含まれている目的溶液を前記流通管１０８を介して前記成分分離器１００に装入する。または、純粋脂肪とコラゲナーゼ溶液とを混合した後、前記成分分離器１００に直接入れて、脂肪細胞の間に存在する幹細胞を遊離させるインキュベーション過程を成分分離器１００内で行うこともできる。
【００４４】
そして、前記成分分離器１００を遠心分離機（図示せず）に挿入して目的溶液を層分離させる。その結果、図９に示すように、前記幹細胞液５は下側に、上澄み液６は上側に配置される。（厳密に言えば、プランジャーの収集部１２０にペレットの形で存在する細胞が密集した塊を幹細胞分画（ｆｒａｃｔｉｏｎ）といい、この幹細胞分画が微量の上澄み液６に浮遊した状態を幹細胞液（ｆｌｕｉｄ）ということができるが、便宜上、幹細胞分画と幹細胞液の両方を幹細胞液と呼ぶことにする。）。次いで、図１０に示すように、作動部材を利用して上澄み液６の大部分を排出させ、下部の幹細胞液５のみを残す。
【００４５】
その後、再び洗浄液を前記成分分離器１００に追加供給する。このとき、前記流通管１０８に他の注射器を連結した後、上部注射器を圧迫して洗浄液を前記本体１０２の内部に装入し、或いは洗浄液の含まれている上部注射器を前記流通管１０８に接続した後、前記作動部材を後退させる方法で洗浄液の装入が可能である。この場合、前記プランジャー結合チューブ１４４を回転させて前記プランジャーねじ部１２６と前記チューブねじ１４８とを結合させ、前記加圧チューブ１２８を回して後退させる。前記チューブねじ１４８と前記加圧ねじ部１３０は互いに反対方向のねじ方向を持つので、前記加圧チューブ１２８が回転しても、前記プランジャーねじ部１２６と前記チューブねじ１４８との結合関係は維持される。さらに洗浄液の装入された成分分離器１００を再び遠心分離機に入れて層分離過程を行う。上述したような過程を３〜４回繰り返し行い、最終的に所望の幹細胞液を得る。
【００４６】
次に、骨髄由来幹細胞を分離する方法について説明する。骨髄由来幹細胞の場合には、まず、腸骨（ｉｌｉａｃ  ｂｏｎｅ）などの部位で特殊な骨髄抽出用針を用いて骨髄を抽出する。骨髄抽出物は血液と似ている様相を持っているので、前述した血液成分分離方法と同様の方法で抽出することができる。これに加えて、上述した方法を利用すれば、リンパ球細胞、免疫細胞、臍帯血幹細胞なども細胞の比重差を利用して分離が可能である。すなわち、同種細胞または異種細胞も、細胞の比重差を用いた上記の方法を利用すれば分離が可能となる。
【００４７】
上述のように、本発明の好適な実施例を参照して説明したが、当該技術分野における通常の知識を有する者であれば、下記特許請求の範囲に記載された本発明の思想及び領域から逸脱することなく、本発明を多様に修正及び変更させることができることが理解できるだろう。
【００４８】
（付記）
（付記１）
一端部に体液の流通する流通管が設けられ、他端部に本体雌ねじ部が配置される中空の本体と、
前記本体の内部で前後進しながら、前記本体の本体空間を可変させるプランジャーと、
前記本体雌ねじ部に螺合可能な加圧ねじ部を有する加圧チューブ、および前記加圧チューブの内部に対して出入りし、前記プランジャーの下部のプランジャーねじ部に螺合するチューブねじが形成されたプランジャー結合チューブを有する作動部材と、を含んでなることを特徴とする、成分分離器。
【００４９】
（付記２）
前記本体雌ねじ部および前記加圧ねじ部のねじ方向は前記プランジャーねじ部および前記チューブねじのねじ方向と反対であることを特徴とする、付記１に記載の成分分離器。
【００５０】
（付記３）
前記チューブねじの端部にはねじ山のないオフセットが設けられることを特徴とする、付記１に記載の成分分離器。
【００５１】
（付記４）
前記チューブねじの下側には、前記チューブねじの突出量を制限するチューブ突出ストッパーが設けられることを特徴とする、付記１に記載の成分分離器。
【００５２】
（付記５）
前記加圧チューブの下部には、チューブ離脱防止カバーが設置され、前記プランジャー結合チューブの外周面の下部には、前記チューブ離脱防止カバーにより前記プランジャー結合チューブの移動を制限させるチューブ離脱ストッパーが設けられることを特徴とする、付記１に記載の成分分離器。
【００５３】
（付記６）
前記チューブ離脱ストッパーと前記チューブ離脱防止カバーとの間にばねが設置されることで、前記チューブねじと前記プランジャーねじ部との着脱を容易に誘導することを特徴とする、付記５に記載の成分分離器。
【００５４】
（付記７）
前記加圧チューブに設けられる加圧チューブ突起と前記プランジャー結合チューブに設けられるチューブ突出ストッパーとの間にばねが設置されることで、前記チューブねじと前記プランジャーねじ部との着脱を容易に誘導することを特徴とする、付記５に記載の成分分離器。
【符号の説明】
【００５５】
１    血液
２    血球
３    軟膜層
４    血漿
５    幹細胞液
６    上澄み液
１０、２０    注射器
１２、２２    プランジャー
１００    成分分離器
１０２    本体
１０３    本体空間
１０４    本体ストッパー
１０６    嵌合突起
１０８    流通管
１１０    本体結合ねじ
１１２    流通管栓
１１４    本体アダプター
１１５    アダプター空間
１１６    目盛
１１７    嵌合溝
１１８    プランジャー
１２０    収集部
１２２    プランジャー下部
１２４    プランジャーヘッド
１２６    プランジャーねじ部
１２８    加圧チューブ
１３０    加圧ねじ部
１３２    加圧チューブ突起
１３４    カバー結合ねじ
１３６    加圧チューブホール
１３８    本体カバー
１４０    本体カバーねじ
１４２    本体雌ねじ部
１４４    プランジャー結合チューブ
１４６    プランジャー結合チューブボディ
１４８    チューブねじ
１５０    チューブ突出ストッパー
１５２    オフセット
１５４    チューブ離脱ストッパー
１５６    チューブハンドル
１５８    ばね
１６０    チューブ離脱防止カバー
１６２    チューブ離脱防止カバーホール
１６４    ばね着座部
１７０    本体栓
１７２    本体栓結合部材
【図１】
0006648177.tif 000002
【図２】
0006648177.tif 000003
【図３】
0006648177.tif 000004
【図４】
0006648177.tif 000005
【図５】
0006648177.tif 000006
【図６】
0006648177.tif 000007
【図７】
0006648177.tif 000008
【図８】
0006648177.tif 000009
【図９】
0006648177.tif 000010
【図１０】
0006648177.tif 000011